(57)【要約】【課題】  光コネクタの端面のうちピンの周囲の領域を清掃することが容易な光コネクタ端面クリーナを提供する。【解決手段】  端面２１にピン２２が突設された光コネクタ２０の端面２１を清掃するための光コネクタ端面クリーナであって、ピン２２の周囲の領域と接触可能な糸状の清掃部材１１を有する。端面２１にピン２２が複数本突設された場合、光コネクタ端面クリーナは、端面２１のうちピン２２の間の領域と接触可能な糸状又はテープ状の清掃部材１２を有してもよい。【選択図】  図１
2019159304.tif 000002
【特許請求の範囲】
【請求項１】
端面にピンが突設された光コネクタの前記端面を清掃するための光コネクタ端面クリーナであって、前記ピンの周囲の領域と接触可能な糸状の清掃部材を有することを特徴とする光コネクタ端面クリーナ。
【請求項２】
前記光コネクタは、前記端面に前記ピンが複数本突設されたものであり、前記光コネクタ端面クリーナは、前記端面のうち前記ピンの間の領域と接触可能な糸状又はテープ状の清掃部材を有することを特徴とする請求項１に記載の光コネクタ端面クリーナ。
【請求項３】
前記光コネクタ端面クリーナは、前記端面に前記ピンが複数本突設された前記光コネクタのうち、前記ピンの間隔が異なる少なくとも２種類の光コネクタの端面を清掃することが可能であり、前記ピンの周囲の領域と接触可能な糸状の清掃部材は、前記少なくとも２種類の光コネクタのそれぞれにおける前記ピンの周囲の領域と接触可能な範囲に配置されていることを特徴とする請求項１又は２に記載の光コネクタ端面クリーナ。
【請求項４】
前記清掃部材の少なくとも一つの表面が非粘着性であることを特徴とする請求項１〜３のいずれか１項に記載の光コネクタ端面クリーナ。
【請求項５】
前記清掃部材の少なくとも一つの表面が粘着性であることを特徴とする請求項１〜４のいずれか１項に記載の光コネクタ端面クリーナ。
【請求項６】
前記光コネクタ端面クリーナは、前記ピンの先端部を挿入可能な凹部を有する受け部を備え、前記受け部と前記端面との間に前記清掃部材を配置可能であることを特徴とする請求項１〜５のいずれか１項に記載の光コネクタ端面クリーナ。
【請求項７】
前記清掃部材は、前記光コネクタと接触する箇所を変更するように駆動可能であることを特徴とする請求項１〜６のいずれか１項に記載の光コネクタ端面クリーナ。
【発明の詳細な説明】
【技術分野】
【０００１】
本発明は、光コネクタ端面クリーナに関する。
【背景技術】
【０００２】
特許文献１には、光コネクタの端面に接触可能なピンの先端部分に糸ガイドが形成され、糸ガイドに沿ってクリーニング用の糸を駆動する構成のコネクタ端面クリーナが開示されている。
特許文献２には、棒状の清掃部の先端に清掃テープが露出した状態で前進移動可能に張架された構成の光ファイバコネクタ用クリーナが開示されている。
特許文献３には、内側ガイド部材の清掃部位となる先端に沿って掛け回された清掃部材と、清掃部材が内側ガイド部材の先端から外れたときに清掃部材の位置を復帰させるスライド摺動子を備えた光ファイバコネクタ用クリーナが開示されている。
特許文献４には、光コネクタの端面に突設されたピンが刺入可能な粘着剤層を支持体上に有する端面クリーナが開示されている。
【先行技術文献】
【特許文献】
【０００３】
【特許文献１】特開２００２−０９０５７６号公報
【特許文献２】特開２００５−１８１９７１号公報
【特許文献３】特開２００６−２０１２９７号公報
【特許文献４】特開２０１６−１７５０６１号公報
【発明の概要】
【発明が解決しようとする課題】
【０００４】
特許文献１〜３には、光コネクタの端面にピンが突設されることについては記載も示唆もない。特許文献４には、ピンを粘着剤層から抜き取ると、粘着剤層が元の形状に戻る場合もあるとされている。しかし、粘着剤層が元の形状に戻らない場合は、端面に接触させる粘着剤層の領域を変更する必要がある。
【０００５】
本発明は、上記事情に鑑みてなされたものであり、光コネクタの端面のうちピンの周囲の領域を清掃することが容易な光コネクタ端面クリーナを提供することを課題とする。
【課題を解決するための手段】
【０００６】
本発明の光コネクタ端面クリーナは、端面にピンが突設された光コネクタの前記端面を清掃するための光コネクタ端面クリーナであって、前記ピンの周囲の領域と接触可能な糸状の清掃部材を有することを特徴とする。
【０００７】
前記光コネクタは、前記端面に前記ピンが複数本突設されたものであり、前記光コネクタ端面クリーナは、前記端面のうち前記ピンの間の領域と接触可能な糸状又はテープ状の清掃部材を有してもよい。
【０００８】
前記光コネクタ端面クリーナは、前記端面に前記ピンが複数本突設された前記光コネクタのうち、前記ピンの間隔が異なる少なくとも２種類の光コネクタの端面を清掃することが可能であり、前記ピンの周囲の領域と接触可能な糸状の清掃部材は、前記少なくとも２種類の光コネクタのそれぞれにおける前記ピンの周囲の領域と接触可能な範囲に配置されていてもよい。
【０００９】
前記清掃部材の少なくとも一つの表面が非粘着性であってもよい。
前記清掃部材の少なくとも一つの表面が粘着性であってもよい。
前記光コネクタ端面クリーナは、前記ピンの先端部を挿入可能な凹部を有する受け部を備え、前記受け部と前記端面との間に前記清掃部材を配置可能であってもよい。
前記清掃部材は、前記光コネクタと接触する箇所を変更するように駆動可能であってもよい。
【発明の効果】
【００１０】
本発明によれば、糸状の清掃部材を用いることにより、ピンの周囲の領域を清掃することが容易になる。
【図面の簡単な説明】
【００１１】
【図１】光コネクタ端面クリーナの第１実施形態を示す斜視図である。
【図２】ピンに対する糸状の清掃部材の作用を説明する正面図である。
【図３】光コネクタ端面クリーナの第２実施形態を示す斜視図である。
【図４】光コネクタの一例を示す斜視図である。
【図５】糸状の清掃部材を（ａ）及び（ｂ）に例示する斜視図である。
【図６】テープ状の清掃部材を（ａ）及び（ｂ）に例示する斜視図である。
【図７】光コネクタ端面クリーナの第３実施形態を示す斜視図である。
【図８】光コネクタ端面クリーナの第４実施形態を示す斜視図である。
【図９】光コネクタ端面クリーナの第５実施形態を示す正面図である。
【図１０】光コネクタ端面クリーナの第６実施形態を示す側面図である。
【発明を実施するための形態】
【００１２】
以下、好適な実施形態に基づき、図面を参照して本発明を説明する。
なお、本明細書における光コネクタ端面とは、機器等に組み込まれていないコードタイプの単独コネクタはもとより、光トランシーバ、光ラック、光成端架等に組み込まれた接続端面等、光接続に用いられるあらゆる端面を指す。
【００１３】
図１は、光コネクタ端面クリーナの第１実施形態を示す。第１実施形態の光コネクタ端面クリーナ１０Ａは、端面２１にピン２２が突設された光コネクタ２０の端面２１を清掃するための光コネクタ端面クリーナ１０Ａであって、端面２１のうちピン２２の周囲の領域と接触可能な糸状の清掃部材１１を有する。また、第１実施形態においては、光コネクタ２０は、端面２１に複数本のピン２２が突設され、光コネクタ端面クリーナ１０Ａは、端面２１のうちピン２２の間の領域と接触可能なテープ状の清掃部材１２を有する。なお、本形態においては、清掃部材１１（清掃部材１２）が、張架用部材（不図示）を介して張力がかけられた状態で固定されている。張架用部材は、清掃部材１１（清掃部材１２）に接触することでこれらに張力をかけることが可能であれば、具体的な構造は何ら限定されない。張架用部材は、例えば、棒状の部材や枠状（中空状）の部材等とすればよい。なお、後述する受け部１４を用いる形態において、張架用部材を併用してもよいし、張架用部材を併用せずともよい（ある側面では、受け部１４自体が張架用部材としても機能する）。
【００１４】
第１実施形態の光コネクタ端面クリーナ１０Ａによれば、糸状の清掃部材１１がピン２２の周囲の領域と接触して、ピン２２の周囲を清掃することができる。ここで、ピン２２の周囲とは、例えばピン２２の周面の少なくとも一部又は端面２１上におけるピン２２の近傍である。また、テープ状の清掃部材１２が、端面２１のうちピン２２の間の領域と接触して、ピン２２の間を清掃することができる。このように、端面２１にピン２２を有する光コネクタ２０の端面２１を清掃する際に、ピン２２の周囲とピン２２の間を同時に、簡単かつ短時間で清掃することができる。
【００１５】
なお、糸状の清掃部材１１によって清掃されるピン２２の周囲の領域は、テープ状の清掃部材１２により清掃されるピン２２の間の領域と一部分において重なり合ってもよい。第１実施形態の光コネクタ端面クリーナ１０Ａは、糸状の清掃部材１１が、端面２１上におけるピン２２の外側の領域を清掃できるように構成することも可能である。ここで、ピン２２の外側とは、例えばピン２２の間にはない、ピン２２と端面２１の周縁部との間の部分である。テープ状の清掃部材１２の本数は特に限定されず、１本でも複数本でもよいが、糸状の清掃部材１１を並設する場合に比べて、清掃される領域の幅を広く、清掃部材
１２の本数を少なく構成することができる。
【００１６】
糸状の清掃部材１１の代わりに、テープ状の清掃部材１２をピン２２の間だけでなく、ピン２２の外側にも配置して、ピン２２の並ぶ方向に沿って、テープ状の清掃部材１２／ピン２２／テープ状の清掃部材１２／ピン２２／テープ状の清掃部材１２の順に配置することも考えられる。しかし、この場合はテープ状の清掃部材１２の間にピン２２を挿入することが必要となるため、テープ状の清掃部材１２の間隔を狭くすると、ピン２２の挿入が困難になり、テープ状の清掃部材１２の間隔を広くすると、ピン２２の周囲の清掃が不十分になるおそれがある。また、ピン２２の間隔が異なる２種類以上の光コネクタを清掃する場合には、テープ状の清掃部材１２の幅や位置を変更することが困難であり、光コネクタごとに異なるクリーナを用意する等の対応が必要になる。
【００１７】
また、清掃部材として用いられるテープ状物は、ピン２２の刺し込みによりテープ状物の長手方向（延在方向）に裂ける特性を有するものを用いてもよい。これらの清掃部材を用いることにより、ピン２２が光コネクタ端面に存在したとしても、清掃部材へピン２２を刺し込むことでピンの周囲の領域を含めた清掃が可能である。
【００１８】
図２は、ピン２２に対する糸状の清掃部材１１の作用を説明する端面２１の正面図である。糸状の清掃部材１１は、ピン２２によって左右に押しやられるので、どの位置にピン２２があっても、端面２１の清掃が可能である。糸状の清掃部材１１がピン２２から離れた箇所では、複数本の清掃部材１１が等間隔など所望の間隔に配置されていてもよい。ピン２２の位置や本数が異なっていても、複数本の清掃部材１１のうち任意の箇所において糸状の清掃部材１１の間にピン２２を挿入することができる。
【００１９】
第１実施形態の光コネクタ端面クリーナ１０Ａによれば、ピン２２の周囲に糸状の清掃部材１１を用いることにより、複数本が並設された糸状の清掃部材１１における適宜の位置にピン２２を配置することが可能であり、糸状の清掃部材１１の間隔を狭くしても、ピン２２の挿入が容易であり、ピン２２の周囲の清掃がより確実になる。糸状の清掃部材１１は、テープ状の清掃部材１２に比べて柔軟な変形が可能であり、例えば長手方向の中心軸周りの回転を許容するように構成することも可能である。このため、糸状の清掃部材１１とピン２２とが干渉したときに、糸状の清掃部材１１がピン２２を回避するような柔軟な変形が容易になる。また、糸状の清掃部材１１が、ピン２２を回避する際、糸状の清掃部材１１が、ピン２２の先端面及び側面に接触しながら変形又は回避するため、ピン２２の先端面及び側面に付着した汚れを清掃することも可能である。
【００２０】
図３は、光コネクタ端面クリーナの第２実施形態を示す。第２実施形態の光コネクタ端面クリーナ１０Ｂは、端面２１にピン２２が突設された光コネクタ２０の端面２１を清掃するための光コネクタ端面クリーナ１０Ｂであって、端面２１のうちピン２２の周囲の領域と接触可能な糸状の清掃部材１１を有する。また、第２実施形態においては、光コネクタ２０は、端面２１に複数本のピン２２が突設され、光コネクタ端面クリーナ１０Ｂは、端面２１のうちピン２２の間の領域と接触可能な範囲にも、糸状の清掃部材１１が配置されている。
【００２１】
第２実施形態の光コネクタ端面クリーナ１０Ｂによれば、糸状の清掃部材１１がピン２２の周囲の領域と接触して、ピン２２の周囲を清掃することができる。また、糸状の清掃部材１１が、端面２１のうちピン２２の間の領域とも接触して、ピン２２の間を清掃することができる。このように、端面２１にピン２２を有する光コネクタ２０の端面２１を清掃する際に、ピン２２の周囲とピン２２の間を同時に、簡単かつ短時間で清掃することができる。
【００２２】
第２実施形態の光コネクタ端面クリーナ１０Ｂは、ピン２２の周囲を清掃するための糸状の清掃部材１１に関しては、第１実施形態と同様の効果を奏し、また、第１実施形態と同様の改変が可能である。ピン２２の間を清掃するための糸状の清掃部材１１に関しては、ピン２２の周囲を清掃するための糸状の清掃部材１１と共通の構成を採用することにより、第２実施形態の光コネクタ端面クリーナ１０Ｂの構成を簡略化することもできる。
【００２３】
図４は、光コネクタの一例を示す。光コネクタ端面クリーナの清掃対象物としては、嵌合のためのピン（嵌合ピン）が突設された端面を有する光コネクタとして、ＭＴコネクタ（Ｆ１２形多心光ファイバコネクタ：ＪＩＳ  Ｃ  ５９８１）、ＭＰＯコネクタ（Ｆ１３形多心光ファイバコネクタ：ＪＩＳ  Ｃ  ５９８２）、ＭＴＲＪコネクタ、ＭＰＸコネクタ等が挙げられる。光コネクタ２０の端面２１上には、光ファイバ２３の先端が設けられている。端面２１上の清掃時には、光ファイバ２３の先端も清掃されることが好ましい。
【００２４】
図５（ａ）は、表面が非粘着性である糸状の清掃部材１１Ａの一例を示す。図５（ｂ）は、表面が粘着性である糸状の清掃部材１１Ｂの一例を示す。図６（ａ）は、表面が非粘着性であるテープ状の清掃部材１２Ａの一例を示す。図６（ｂ）は、表面が粘着性であるテープ状の清掃部材１２Ｂの一例を示す。
【００２５】
表面が非粘着性である清掃部材１１Ａ，１２Ａは、例えば合成樹脂、合成繊維等から構成することができる。表面が粘着性である清掃部材１１Ｂ，１２Ｂは、例えば合成樹脂、合成繊維等から構成される支持体１１Ｃ，１２Ｃの表面に、粘着剤１３を設けることで構成することができる。糸状の清掃部材１１Ｂにおける粘着剤１３の支持体１１Ｃは、糸状であることが好ましい。テープ状の清掃部材１２Ｂにおける粘着剤１３の支持体１２Ｃは、テープ状であることが好ましい。
【００２６】
粘着剤１３としては、ゴム系粘着剤、アクリル系粘着剤、シリコーン系粘着剤、ウレタン系粘着剤等の他、アクリルフォーム、ウレタンフォーム等の樹脂フォームが挙げられる。樹脂フォームを粘着剤１３として用いる場合には、接着手段等で支持体１１Ｃ，１２Ｃと接着してもよい。粘着剤１３には、例えば粘着付与剤、充填剤等の添加剤が配合されていてもよい。粘着剤１３は、接触により汚れを清掃部材１１Ｂ，１２Ｂに付着させる機能があれば接着剤でもよく、例えば弱い粘着性を有するオレフィン系接着剤等を用いることも可能である。粘着剤１３は、光コネクタ２０の端面２１又はピン２２に接触したときに、糊残り等コネクタ端面への汚染を抑制又は防止対策を施したものが好ましい。
【００２７】
表面が非粘着性である清掃部材１１Ａ，１２Ａ又は表面が粘着性である清掃部材１１Ｂ，１２Ｂの支持体１１Ｃ，１２Ｃは、例えば、フィルム状、織布状、不織布状等とすることができ、より具体的には、樹脂の押出成形、樹脂シートの細幅切断加工、繊維の撚り合わせ、繊維の編み込み等により構成することができる。表面が非粘着性である清掃部材１１Ａ，１２Ａの表面は、端面２１の清掃と傷付き抑制等のために、平滑化、凹凸、粗面化、コーティング、表面処理等の加工を施してもよい。
【００２８】
光コネクタ端面クリーナが、清掃部材として、表面が非粘着性である清掃部材１１Ａ，１２Ａのみを有してもよく、表面が粘着性である清掃部材１１Ｂ，１２Ｂのみを有してもよく、表面が非粘着性である清掃部材１１Ａ，１２Ａと表面が粘着性である清掃部材１１Ｂ，１２Ｂとを併用してもよい。
【００２９】
図７は、光コネクタ端面クリーナの第３実施形態を示す。第３実施形態の光コネクタ端面クリーナ１０Ｃは、第１実施形態の光コネクタ端面クリーナ１０Ａの構成に加えて、ピン２２の先端部を挿入可能な凹部として穴１５Ａを有する受け部１４Ａを備えている。これにより、清掃部材１１を光コネクタ２０の端面２１又はピン２２に接触させるときに、ピン２２の先端部を穴１５Ａに収容することができる。また、受け部１４Ａと端面２１との間に清掃部材１１が配置されることにより、清掃部材１１を端面２１に向けて押圧し、清掃効率を向上させることができる。
【００３０】
穴１５Ａの平面形状は特に限定されないが、円形、楕円形、正方形、長方形、菱形、多角形等が挙げられる。図７に示す受け部１４Ａは、ピン２２ごとに異なる複数の穴１５Ａを有するが、特にこれに限定されるものではなく、一の穴１５Ａに複数のピン２２が収容されてもよい。なお、特に図示しないが、テープ状の清掃部材１２を有する第２実施形態の光コネクタ端面クリーナ１０Ｂにおいても、第３実施形態の受け部１４Ａを設けることができる。
【００３１】
図８は、光コネクタ端面クリーナの第４実施形態を示す。第４実施形態の光コネクタ端面クリーナ１０Ｄは、第１実施形態の光コネクタ端面クリーナ１０Ａの構成に加えて、ピン２２の先端部を挿入可能な凹部として切欠き１５Ｂを有する受け部１４Ｂを備えている。これにより、清掃部材１１を光コネクタ２０の端面２１又はピン２２に接触させるときに、ピン２２の先端部を切欠き１５Ｂに収容することができる。また、受け部１４Ｂと端面２１との間に清掃部材１１が配置されることにより、清掃部材１１を端面２１に向けて押圧し、清掃効率を向上させることができる。
【００３２】
切欠き１５Ｂの平面形状は特に限定されないが、Ｕ字状、Ｖ字状、半円形、半楕円形、多角形等が挙げられる。図８に示す切欠き１５Ｂは、清掃部材１１の長手方向と同じ方向に延びているが、特にこれに限定されるものではなく、切欠き１５Ｂを清掃部材１１の長手方向と交差する方向に配置してもよい。なお、図８では、切欠き１５Ｂの形状を明瞭にするため、受け部１４Ｂ上に配置される清掃部材１１の一部の図示を省略した。特に図示しないが、テープ状の清掃部材１２を有する第２実施形態の光コネクタ端面クリーナ１０Ｂにおいても、第４実施形態の受け部１４Ｂを設けることができる。
【００３３】
第３及び第４実施形態において、穴１５Ａと切欠き１５Ｂの区別は必ずしも厳密にする必要はないが、例えば、平面形状が閉じた形状である場合を穴１５Ａ、平面形状が開いた形状である場合を切欠き１５Ｂとしてもよい。ピン２２の長さ方向に対しては、穴１５Ａ及び切欠き１５Ｂが受け部１４Ａ，１４Ｂを貫通していてもよく、受け部１４Ａ，１４Ｂを貫通していない非貫通でもよい。
【００３４】
図９は、光コネクタ端面クリーナの第５実施形態を示す。第５実施形態の光コネクタ端面クリーナ１０Ｅは、端面２１にピン２２が複数本突設された光コネクタのうち、ピン２２の間隔が異なる少なくとも２種類の光コネクタ２０Ａ，２０Ｂの端面を清掃することが可能である。各光コネクタ２０Ａ，２０Ｂの端面２１のうちピン２２の周囲の領域と接触可能な糸状の清掃部材１１は、少なくとも２種類の光コネクタ２０Ａ，２０Ｂのそれぞれにおけるピン２２の周囲の領域と接触可能な範囲に配置されている。
【００３５】
これにより、第５実施形態の光コネクタ端面クリーナ１０Ｅは、複数本が並設された糸状の清掃部材１１における適宜の位置にピン２２を配置することが可能であり、同一の光コネクタ端面クリーナ１０Ｅを用いて２種類以上の光コネクタ２０Ａ，２０Ｂを清掃することができる。なお、図９では図示を省略しているが、第１又は第２実施形態と同様に、第５実施形態の光コネクタ端面クリーナ１０Ｅは、ピン２２の間の領域と接触可能な清掃部材１１，１２を有することができる。また、第３又は第４実施形態と同様に、第５実施形態の光コネクタ端面クリーナ１０Ｅが受け部１４Ａ，１４Ｂを備えてもよい。
【００３６】
図９に示す例では、ピン２２の間隔が狭い光コネクタ２０Ａは、ピン２２の間に１２本の光ファイバ２３を有し、ピン２２の間隔が広い光コネクタ２０Ｂは、ピン２２の間に１６本の光ファイバ２３を有する。ピン２２の間に配置される光ファイバ２３の本数は特に限定されず、例えば１本、２本、３本、４本、６本、８本、１０本、１２本、１６本、１８本、２０本、２４本等が挙げられる。端面２１上においてピン２２の間に光ファイバ２３が一列に配置される必要はなく、二列以上、ジグザグ状など所望の配置が可能である。２種類以上の光コネクタ２０Ａ，２０Ｂにおいて、端面２１上に配置される光ファイバ２３の本数は同数でもよく、本数が異なってもよい。図９に示す受け部１４Ｃが有する穴１５Ｃは、各光コネクタ２０Ａ，２０Ｂに共通してピン２２を収容可能な凹部であり、各光コネクタ２０Ａ，２０Ｂのピン２２の位置を含むように寸法が拡大されている。
【００３７】
図１０は、光コネクタ端面クリーナの第６実施形態を示す。第６実施形態の光コネクタ端面クリーナ１０Ｆは、清掃部材１１の両端部が巻き取られた所望の個数のボビン１６と、各ボビン１６を収容するハウジング１７を備える。光コネクタ２０がアダプタ２４等の機器の奥に設置されていても、清掃部材１１を支持する受け部１４は、アダプタ２４等の内部に到達できるように、アダプタ２４内に挿入可能な寸法である。また、ボビン１６を収容するハウジング１７をアダプタ２４内に挿入する必要がないように、受け部１４はハウジング１７から突出した位置に配置されている。これにより、アダプタ２４等の奥に設置された光コネクタ２０の端面２１を清掃部材１１により清掃することができる。
【００３８】
一方のボビン１６から他方のボビン１６に向けて清掃部材１１を長手方向に沿って移動させることにより、光コネクタ２０の端面２１又はピン２２等と接触する清掃部材１１の位置を変更することができる。清掃部材１１が光コネクタ２０と接触する位置を変更することにより、例えば、清掃部材１１に汚れが付着した後で、清掃部材１１が光コネクタ２０と接触する位置を変更して、汚れが清掃部材１１から光コネクタ２０に付着することを抑制することができる。
【００３９】
なお、第６実施形態の光コネクタ端面クリーナ１０Ｆは、上述したいずれの清掃部材にも適用可能である。第６実施形態における清掃部材１１は、糸状の清掃部材１１でもよく、テープ状の清掃部材１２でもよく、表面が非粘着性の清掃部材１１Ａ，１２Ａでもよく、表面が粘着性の清掃部材１１Ｂ，１２Ｂでもよい。
【００４０】
表面が非粘着性の清掃部材１１Ａ，１２Ａを用いる場合は、清掃部材１１Ａ，１２Ａが光コネクタ２０の端面２１又はピン２２に接触している最中に清掃部材１１Ａ，１２Ａを移動させると、清掃部材１１Ａ，１２Ａによる拭き取り清掃が可能になる。
表面が粘着性の清掃部材１１Ｂ，１２Ｂを用いて、光コネクタ２０を２回以上清掃する場合は、清掃部材１１Ｂ，１２Ｂを光コネクタ２０に接触させる工程と、清掃部材１１Ｂ，１２Ｂが端面２１と接触する位置を変更する工程とを、交互に繰り返してもよい。
【００４１】
第６実施形態の光コネクタ端面クリーナ１０Ｆは、ピン２２の先端部を挿入可能な凹部１５を有する受け部１４を備えてもよい。この受け部１４は、第３実施形態における穴１５Ａを有する受け部１４Ａでもよく、第４実施形態における切欠き１５Ｂを有する受け部１４Ｂでもよい。
【００４２】
以上、説明してきた実施形態のほか、光コネクタの端面のうちピンの周囲の領域を含めて清掃可能なものとして、クリーナの光コネクタ端面に対向する部分に静電捕集手段を設けて、静電的な力によって粉塵等の汚れを糸状、テープ状の清掃部材に付着させてもよいし、クリーナに振動発生手段を設けて、振動の力によって粉塵等の汚れを糸状、テープ状の清掃部材に付着させてもよい。上記の形態においては、糸状、テープ状の清掃部材が光コネクタ端面に接触していてもよいし、離間した状態でもよい。
【００４３】
また、別の実施形態としては、清掃部材として、シリコーンゴム、ブチルゴム等のゴム類；ポリウレタン樹脂やポリアクリル樹脂等や、それらのゲル材；等の柔軟粘着弾性体を用い、光コネクタ端面とは反対の面から付勢手段により、光コネクタ端面に押し付けることでも、光コネクタの端面のうちピンの周囲の領域を含めて清掃が可能である。付勢手段としては、付勢棒のような付勢体や、空気圧等を用いればよい。柔軟粘着弾性体がピンを有する光コネクタ端面に接触する時、柔軟粘着弾性体はピンに追従しつつ変形して、光コネクタ端面全体に接触する。
【００４４】
更に、清掃対象である光コネクタ端面に硬化、あるいは固化性の液体を塗布し、液体が粉塵等の汚れを取り込んで硬化（固化）した後に、硬化（固化）物を清掃部材により取り除いてもよい。
【００４５】
以上、本発明を好適な実施形態に基づいて説明してきたが、本発明は上述の実施形態に限定されず、本発明の要旨を逸脱しない範囲で種々の改変が可能である。改変としては、各実施形態における構成要素の追加、置換、省略、その他の変更が挙げられる。また、２以上の実施形態に用いられた構成要素を適宜組み合わせることも可能である。また、本発明の光コネクタ端面クリーナは、ピンを有さない光コネクタ端面の清掃にも使用することができる。
【符号の説明】
【００４６】
１０Ａ，１０Ｂ，１０Ｃ，１０Ｄ，１０Ｅ，１０Ｆ…光コネクタ端面クリーナ、１１，１１Ａ，１１Ｂ…糸状の清掃部材、１１Ｃ…糸状の支持体、１２，１２Ａ，１２Ｂ…テープ状の清掃部材、１２Ｃ…テープ状の支持体、１３…粘着剤、１４，１４Ａ，１４Ｂ，１４Ｃ…受け部、１５…凹部、１５Ａ，１５Ｃ…穴、１５Ｂ…切欠き、１６…ボビン、１７…ハウジング、２０，２０Ａ，２０Ｂ…光コネクタ、２１…端面、２２…ピン、２３…光ファイバ、２４…アダプタ。
【図１】
2019159304.tif 000003
【図２】
2019159304.tif 000004
【図３】
2019159304.tif 000005
【図４】
2019159304.tif 000006
【図５】
2019159304.tif 000007
【図６】
2019159304.tif 000008
【図７】
2019159304.tif 000009
【図８】
2019159304.tif 000010
【図９】
2019159304.tif 000011
【図１０】
2019159304.tif 000012